(57)【要約】【課題】  雄型のコネクタ部および雌型のコネクタ部におけるコンタクト端子の相互間距離を従来の相互間距離よりもさらに小にすることができること。【解決手段】  雌型のコネクタ部２０におけるコンタクト端子３４Ａｉおよび３４Ｂｉ、コンタクト端子３６Ａｉおよび３６Ｂｉ、コンタクト端子３８Ａｉおよび３８Ｂｉ、コンタクト端子４０Ａｉおよび４０Ｂｉがそれぞれ、階層的にかつ千鳥掛け状に配列されるもの。【選択図】  図１
2006054128.tif 000002
【特許請求の範囲】
【請求項１】
第１の基板上に配され該第１の基板の導電層に電気的に接続されるコンタクト端子を複数個有する第１のコネクタ部と、
前記第１の基板に関連して配される第２の基板上に配され前記第１のコネクタ部の複数のコンタクト端子に電気的に接続されるとともに、該第２の基板の導電層に電気的に接続されるコンタクト端子を複数個有する第２のコネクタ部と、を備え、
少なくとも前記第２のコネクタ部における複数のコンタクト端子が階層的にかつ千鳥掛け状に配されるもとで、該コンタクト端子の一端に設けられる接点部が、前記第２の基板の表面に対し略平行な平面であって該コンタクト端子の配列方向に対し略直交する方向に移動可能とされることを特徴とする基板接続用コネクタ。
【請求項２】
前記第２のコネクタ部における複数のコンタクト端子は、それぞれ、前記接点部に連結され該接点部を一方向に付勢する弾性変位可能なばね部を有することを特徴とする請求項１記載の基板接続用コネクタ。
【請求項３】
前記第１の基板および前記第２の基板は、前記第１のコネクタ部および第２のコネクタ部を介して相対向して配されることを特徴とする請求項１記載の基板接続用コネクタ。
【発明の詳細な説明】
【技術分野】
【０００１】
本発明は、複数の基板相互間の電気的接続を行なう基板接続用コネクタに関する。
【背景技術】
【０００２】
携帯電話等の電子機器においては、例えば、比較的狭い空間内に、複数のプリント配線基板が内蔵されている。複数のプリント配線基板は、例えば、基板接続用コネクタを通じて電気的に相互に接続されている。
【０００３】
基板接続用コネクタは、例えば、特許文献１にも示されるように、第１のプリント配線基板に配される雄型のコネクタ部と、第１のプリント配線基板に相対向して配される第２のプリント配線基板に配される雌型のコネクタ部とを含んで構成されている。
【０００４】
雄型のコネクタ部は、樹脂材料で成形された基台部と、その基台部の長辺側の両端部にそれぞれ、所定の間隔で配列され第１のプリント配線基板の各電極部に一端が電気的に接続される複数のコンタクト端子と、を主な要素として構成されている。
【０００５】
複数のコンタクト端子は、互いに略平行にその端部に沿って所定の間隔で一列に設けられている。
【０００６】
さらに、基台部における短辺側の両端部には、それぞれ、一対の爪部が設けられている。一対の爪部は、それぞれ、基台部と一体に樹脂材料で成形されている。一対の爪部は、それぞれ、雌型のコネクタ部に組みつけられるとき、その透孔に選択的に係合せしめられる。
【０００７】
雌型のコネクタ部は、箱状に形成され上述の雄型のコネクタ部の基台部およびコンタクト端子が収容される収容部を有する基台部と、その基台部の長辺側の両端部にそれぞれ、所定の間隔で配列され第２のプリント配線基板の各電極部に電気的に接続される複数のコンタクト端子と、を主な要素として構成されている。
【０００８】
その各コンタクト端子は、上述の雄型のコネクタ部のコンタクト端子に対応して互いに略平行にその端部に沿って所定の間隔で一列に設けられている。
【０００９】
基台部における短辺側の両端部には、雄型のコネクタ部が組み付けられるとき、それぞれ、上述の一対の爪部が、それぞれ係合される透孔が形成されている。従って、第１のプリント配線基板に固定された雄型のコネクタ部が雌型のコネクタ部に組みつけられるとき、一対の爪部がそれぞれ、その透孔の周縁に係合されることにより、接続状態が保持されることとなる。
【００１０】
このような基板接続用コネクタにおいては、昨今、電子機器の多機能化および小型化に対応した第１のプリント配線基板および第２のプリント配線基板におけるパターンの高密度化に伴い、基板の電極パッドの数量が増大するとともに、ランド間げきが狭小となる傾向にある。従って、雄型のコネクタ部および雌型のコネクタ部におけるコンタクト端子の相互間距離（ピッチ）も必然的により狭小なものが必要とされることとなる。
【００１１】
【特許文献１】特開２００４−５５３０６号公報
【発明の開示】
【発明が解決しようとする課題】
【００１２】
しかしながら、雄型のコネクタ部および雌型のコネクタ部におけるコンタクト端子の相互間距離を例えば、従来の相互間距離よりもさらに半分にする場合、コンタクト端子が上述のように一列状に配列されるとき、端子の線径を細くするにも一定の限界があるのでさらにそのピッチを狭小とすることが困難となる。
【００１３】
以上の問題点を考慮し、本発明は、複数の基板相互間の電気的接続を行なう基板接続用コネクタであって、雄型のコネクタ部および雌型のコネクタ部におけるコンタクト端子の相互間距離を従来の相互間距離よりもさらに小にすることができる基板接続用コネクタを提供することを目的とする。
【課題を解決するための手段】
【００１４】
上述の目的を達成するために、本発明に係る基板接続用コネクタは、第１の基板上に配され第１の基板の導電層に電気的に接続されるコンタクト端子を複数個有する第１のコネクタ部と、第１の基板に関連して配される第２の基板上に配され第１のコネクタ部の複数のコンタクト端子に電気的に接続されるとともに、第２の基板の導電層に電気的に接続されるコンタクト端子を複数個有する第２のコネクタ部と、を備え、少なくとも第２のコネクタ部における複数のコンタクト端子が階層的にかつ千鳥掛け状に配されるもとで、コンタクト端子の一端に設けられる接点部が、第２の基板の表面に対し略平行な平面であって該コンタクト端子の配列方向に対し略直交する方向に移動可能とされることを特徴とする。
【発明の効果】
【００１５】
以上の説明から明らかなように、本発明に係る基板接続用コネクタによれば、少なくとも第２のコネクタ部における複数のコンタクト端子が階層的にかつ千鳥掛け状に配されるので雄型のコネクタ部および雌型のコネクタ部におけるコンタクト端子の相互間距離を従来の相互間距離よりもさらに小にすることができる。
【発明を実施するための最良の形態】
【００１６】
図１は、本発明に係る基板接続用コネクタの一例を示す。
【００１７】
基板接続用コネクタは、例えば、図１に示されるように、後述する第１のプリント配線
基板２６（図３参照）に配される雄型のコネクタ部２４と、第１のプリント配線基板２６に相対向して配される第２のプリント配線基板２２（図８参照）に配される雌型のコネクタ部２０とを含んで構成されている。
【００１８】
雄型のコネクタ部２４は、樹脂材料で成形された基台部２４Ｍと、その基台部２４Ｍの長辺側の両端部にそれぞれ、所定の間隔で配列され第１のプリント配線基板２６の各電極部に電気的に接続される複数のコンタクト端子２８Ａｉ、および、２８Ｂｉ（ｉ＝１〜ｎ，ｎは正の整数）（図５（Ｂ）参照）と、基台部２４Ｍの中央部分に階層的に細長く形成される凸部２４Ｐと、凸部２４Ｐの長辺側の両端部にそれぞれ、所定の間隔で配列され第１のプリント配線基板２６の各電極部に電気的に接続される複数のコンタクト端子３０Ａｉ，および、３０Ｂｉ（ｉ＝１〜ｎ，ｎは正の整数）（図５（Ａ）参照）と、を主な要素として構成されている。
【００１９】
基台部２４Ｍにおける各コンタクト端子２８Ａｉは、基台部２４Ｍの長辺側の各端部に形成されるスリット２４Ｓｉ（ｉ＝１〜ｎ，ｎは正の整数）にそれぞれ圧入されている。基台部２４Ｍの各端部におけるスリット２４Ｓｉは、凸部２４Ｐを挟んで相対向して形成されている。スリット２４Ｓｉは、短辺側の端部に対し略平行に所定の間隔で形成されている。各スリット２４Ｓｉは、所定の厚さを有する隔壁により互いに仕切られている。各スリット２４Ｓｉ内の中央には、図４に示されるように、コンタクト端子２８Ａｉまたは２８Ｂｉが係合される突起部２４ｅが形成されている。
【００２０】
コンタクト端子２８Ａｉまたは２８Ｂｉは、互いに同一形状なのでコンタクト端子２８Ａｉについて説明しコンタクト端子２８Ｂｉについての説明を省略する。
【００２１】
コンタクト端子２８Ａｉは、図５（Ｂ）に拡大されて示されるように、薄板金属材料により逆Ｕ字形に形成されており、後述するコンタクト端子に接触する接点部２８Ｃと、スリット２４Ｓｉ内の突起部とスリットを形成する閉端部との間に圧入される固定部２８Ｆとを含んでいる。接点部２８Ｃと固定部２８Ｆとの間には、突起部２４ｅが挿入される溝が形成されている。固定部２８Ｆの一端は、図３に示されるように、第１のプリント配線基板２６における導電層としての電極部に半田付け固定される。
【００２２】
各コンタクト端子３０Ａｉ，および、３０Ｂｉは、それぞれ、凸部２４Ｐに形成されるスリット２４Ｋｉ（ｉ＝１〜ｎ，ｎは正の整数）にそれぞれ圧入されている。凸部２４Ｐの各端部におけるスリット２４Ｋｉは、図１および図２に示されるように、相対向して形成されている。スリット２４Ｋｉは、短辺側の端部に対し略平行に所定の間隔で形成されている。その際、スリット２４Ｋｉは、図２および図３に示されるように、その相互間に上述のスリット２４Ｓｉが対向するように、即ち、スリット２４Ｋｉおよびスリット２４Ｓｉが千鳥掛け状に配列されるように形成されている。従って、図２に示されるように、スリット２４Ｋとスリット２４Ｓｉとの中心間距離ＣＰは、従来のコネクタにおけるコンタクト端子相互間に比べて小なる例えば、約０．２ｍｍ程度に設定されることとなる。
【００２３】
各スリット２４Ｋｉは、所定の厚さを有する隔壁により互いに仕切られている。各スリット２４Ｋｉ内の中央には、図４に示されるように、コンタクト端子３０Ａｉまたは３０Ｂｉが係合される突起部２４ｆが形成されている。
【００２４】
コンタクト端子３０Ａｉまたは３０Ｂｉは、互いに同一形状なのでコンタクト端子３０Ａｉについて説明しコンタクト端子３０Ｂｉについての説明を省略する。
【００２５】
コンタクト端子３０Ａｉは、図５（Ａ）に拡大されて示されるように、薄板金属材料により逆Ｕ字形に形成されており、後述するコンタクト端子に接触する接点部３０Ｃと、スリット２４Ｋｉ内の突起部２４ｆとスリットを形成する閉端部との間に圧入される固定部３０Ｆとを含んでいる。接点部３０Ｃと固定部３０Ｆとの間には、突起部２４ｆが挿入される溝が形成されている。固定部３０Ｆの全長は、上述のコンタクト端子２８Ａｉの固定部２８Ｆの全長に比して大とされる。固定部３０Ｆの一端は、第１のプリント配線基板２６における導電層としての電極部に半田付け固定される。
【００２６】
雌型のコネクタ部２０は、上述の雄型のコネクタ部２４の基台部２４Ｍおよび凸部２４Ｐがコンタクト端子２８Ａｉおよび２８Ｂｉ、３０Ａｉおよび３０Ｂｉを伴って収容される収容部２０Ｓを有する基台部２０Ｍと、その基台部２０Ｍの長辺側における両端部にそれぞれ、所定の間隔で配列され第２のプリント配線基板２２の各電極部に電気的に接続されるコンタクト端子３４Ａｉおよび３４Ｂｉ、３６Ａｉおよび３６Ｂｉ、３８Ａｉおよび３８Ｂｉ、４０Ａｉおよび４０Ｂｉ（ｉ＝１〜ｎ，ｎは正の整数）とを主な要素として構成されている。
【００２７】
樹脂材料で雄型のコネクタ部２４に対応した形状に成形される基台部２０Ｍの収容部２０Ｓの内部は、階層的に凹部状に形成され、上述の雄型のコネクタ部２４の凸部２４Ｐが係合される最も深い段部２０Ｓ１と、雄型のコネクタ部２４の基台部２４Ｍが係合される段部２０Ｓ２とを含んで構成されている。
【００２８】
段部２０Ｓ２における長手方向の端部には、それぞれ、コンタクト端子３４Ａｉおよび３４Ｂｉが圧入されるスリット２０Ｓａｉ（ｉ＝１〜ｎ，ｎは正の整数）が所定の間隔で一列に形成されている。各端部における各スリット２０Ｓａｉは、図７および図１０に示されるように、略矩形状の断面形状を有している。各スリット２０Ｓａｉの一方の端部は、コネクタ部２０の外周面に開口しており、一方、各スリット２０Ｓａｉの他方の端部は、透孔２０ａを有した閉端部とされている。透孔２０ａには、後述するコンタクト端子３４Ａｉの接点部が貫通されている。各透孔２０ａは、図１に示されるように、段部２０Ｓ２の内周部に開口している。
【００２９】
スリット２０Ｓａｉの列の下方部分には、コンタクト端子３６Ａｉおよび３６Ｂｉが圧入されるスリット２０Ｓｂｉ（ｉ＝１〜ｎ，ｎは正の整数）の列がスリット２０Ｓａｉの列に対し略平行に形成されている。スリット２０Ｓｂｉは、図７に示されるように、スリット２０Ｓａｉの右端、および、隣接するスリット２０Ｓａｉ相互間に対応する位置に形成されている。各端部における各スリット２０Ｓｂｉは、図７および図１０に示されるように、略矩形状の断面形状を有している。各スリット２０Ｓｂｉの一方の端部は、コネクタ部２４の外周面に開口しており、一方、各スリット２０Ｓｂｉの他方の端部は、透孔２０ｂを有した閉端部とされている。透孔２０ｂには、後述するコンタクト端子３６Ａｉおよび３６Ｂｉの接点部が貫通されている。各透孔２０ｂは、図１に示されるように、段部２０Ｓ２の内周部に開口している。
【００３０】
スリット２０Ｓｂｉの列の下方部分には、コンタクト端子３８Ａｉおよび３８Ｂｉが圧入されるスリット２０Ｓｃｉ（ｉ＝１〜ｎ，ｎは正の整数）の列がスリット２０Ｓｂｉの列に対し略平行に形成されている。スリット２０Ｓｃｉは、図７に示されるように、スリット２０Ｓａｉとスリット２０Ｓｂｉとの間となる位置に形成されている。即ち、図７において、スリット２０Ｓｃｉは、例えば、右端のスリット２０Ｓｂｉと右端のスリット２０Ｓａｉとの中間、さらに左隣のスリット２０Ｓｂｉとスリット２０Ｓａｉとの中間となる方法で、順次、形成されている。即ち、例えば、各コンタクト端子３８Ａｉが、コンタクト端子３４Ａｉとコンタクト端子３６Ａｉとの間の位置となるようにスリット２０Ｓｃｉが形成されていることとなる。
【００３１】
各端部における各スリット２０Ｓｃｉは、図７および図９に示されるように、略矩形状の断面形状を有している。各スリット２０Ｓｃｉの一方の端部は、コネクタ部２０の外周面に開口しており、一方、各スリット２０Ｓｃｉの他方の端部は、透孔２０ｃを有した閉端部とされている。透孔２０ｃには、後述するコンタクト端子３８Ａｉおよび３８Ｂｉの接点部が貫通されている。各透孔２０ｃは、図１に示されるように、段部２０Ｓ１の内周部に開口している。
【００３２】
スリット２０Ｓｃｉの列の下方部分には、コンタクト端子４０Ａｉおよび４０Ｂｉが圧入されるスリット２０Ｓｄｉ（ｉ＝１〜ｎ，ｎは正の整数）の列がスリット２０Ｓｃｉの列に対し略平行に形成されている。
【００３３】
各スリット２０Ｓｄｉは、図７に示されるように、右端、および、スリット２０Ｓｃｉとスリット２０Ｓｃｉとの間となる位置に形成されている。即ち、各スリット２０Ｓｄｉは、図７において、例えば、右端のスリット２０Ｓｃｉよりもさらに右側に対応する位置と、右端のスリット２０Ｓｃｉと隣接するスリットＳｃｉとの中間に対応する位置となる方法で、順次、形成されている。
【００３４】
即ち、例えば、各コンタクト端子４０Ａｉが、右端、および、コンタクト端子３８Ａｉと隣接するコンタクト端子３８Ａｉとの間の位置となるようにスリット２０Ｓｄｉが形成されていることとなる。
【００３５】
各端部における各スリット２０Ｓｄｉは、図７および図１０に示されるように、略矩形状の断面形状を有している。各スリット２０Ｓｄｉの一方の端部は、コネクタ部２４の外周面に開口しており、一方、各スリット２０Ｓｄｉの他方の端部は、透孔２０ｄを有した閉端部とされている。透孔２０ｄには、後述するコンタクト端子４０Ａｉおよび４０Ｂｉの接点部が貫通されている。各透孔２０ｄは、図１に示されるように、段部２０Ｓ１の内周部に開口している。
【００３６】
従って、図７において、例えば、コンタクト端子３６Ａｉとコンタクト端子４０Ａｉとの相互間距離ＣＰは、または、コンタクト端子３６Ａｉとコンタクト端子３８Ａｉとの相互間距離ＣＰは、それぞれ、従来のコネクタのコンタクト端子間距離よりも狭小な約０．２ｍｍ程度とされる。
【００３７】
さらに、基台部２０Ｍにおける各コンタクト端子３４Ａｉおよび３４Ｂｉの固定端子部が突出する面における端には、それぞれ、雌型のコネクタ部２０を第２のプリント配線基板２２に固定する固定具Ｔｕの一端が圧入されるスリットが形成されている。
【００３８】
コンタクト端子３４Ａｉまたは３４Ｂｉは、互いに同一形状なのでコンタクト端子３４Ａｉについて説明しコンタクト端子３４Ｂｉについての説明を省略する。
【００３９】
コンタクト端子３４Ａｉは、図１１（Ｂ）に拡大されて示されるように、薄板金属材料、例えば、りん青銅板により形成されており、雄型のコネクタ部２４に組み付けられるとき、上述のコンタクト端子２８Ａｉと接触し電気的に接続される接点部３４Ｃと、スリット２０Ｓａｉ内の周縁に圧入される固定部３４Ｆと、固定部３４Ｆと接点部３４Ｃとの間に弾性変位可能に一体に形成され接点部３４Ｃを付勢するバネ部３４Ｒと、固定部３４Ｆに連結され第２のプリント配線基板２２における導電層としての電極部に半田付け固定される固定端子部３４Ｓと、含んで構成されている。
【００４０】
接点部３４Ｃは、コンタクト端子２８Ａｉと円滑に接触するように丸みを先端に有している。
【００４１】
複数の湾曲部からなるバネ部３４Ｒは、所定の隙間をもってスリット２０Ｓａｉ内に配され、図１１（Ｂ）に示される矢印の示す方向に弾性変位可能とされる。従って、接点部３４Ｃは、バネ部３４Ｒと共通の平面上を移動可能とされる。
【００４２】
固定端子部３４Ｓは、固定部３４Ｆの一端から連なり屈曲されて形成されている。
【００４３】
コンタクト端子３６Ａｉまたは３６Ｂｉは、互いに同一形状なのでコンタクト端子３６Ａｉについて説明しコンタクト端子３６Ｂｉについての説明を省略する。
【００４４】
コンタクト端子３６Ａｉは、図１１（Ａ）に拡大されて示されるように、薄板金属材料、例えば、りん青銅板により形成されており、雄型のコネクタ部２４に組み付けられるとき、上述のコンタクト端子２８Ａｉと接触し電気的に接続される接点部３６Ｃと、スリット２０Ｓｂｉ内の周縁に圧入される固定部３６Ｆと、固定部３６Ｆと接点部３６Ｃとの間に弾性変位可能に一体に形成され接点部３６Ｃを付勢するバネ部３６Ｒと、固定部３６Ｆに連結され第２のプリント配線基板２２における導電層としての電極部に半田付け固定される固定端子部３６Ｓと、含んで構成されている。
【００４５】
接点部３６Ｃは、コンタクト端子２８Ａｉと円滑に接触するように丸みを先端に有している。
【００４６】
複数の湾曲部からなるバネ部３６Ｒは、所定の隙間をもってスリット２０Ｓｂｉ内に配され、図１１（Ａ）に示される矢印の示す方向に弾性変位可能とされる。従って、接点部３６Ｃは、バネ部３６Ｒと共通の平面上を移動可能とされる。
【００４７】
固定端子部３６Ｓは、固定部３６Ｆの一端から連なり屈曲されて形成されている。
【００４８】
固定端子部３６Ｓの屈曲長さは、上述のコンタクト端子３４Ａｉの固定端子部３４Ｓの屈曲長さに比して小とされる。
【００４９】
コンタクト端子３８Ａｉまたは３８Ｂｉは、互いに同一形状なのでコンタクト端子３８Ａｉについて説明しコンタクト端子３８Ｂｉについての説明を省略する。
【００５０】
コンタクト端子３８Ａｉは、図１２（Ｂ）に拡大されて示されるように、薄板金属材料、例えば、りん青銅板により形成されており、雄型のコネクタ部２４に組み付けられるとき、上述のコンタクト端子３０Ａｉと接触し電気的に接続される接点部３８Ｃと、スリット２０Ｓｃｉ内の周縁に圧入される固定部３８Ｆと、固定部３８Ｆと接点部３８Ｃとの間に弾性変位可能に一体に形成され接点部３８Ｃを付勢するバネ部３８Ｒと、固定部３８Ｆに連結され第２のプリント配線基板２２における導電層としての電極部に半田付け固定される固定端子部３８Ｓと、含んで構成されている。
【００５１】
接点部３８Ｃは、コンタクト端子３０Ａｉと円滑に接触するように丸みを先端に有している。
【００５２】
複数の湾曲部からなるバネ部３８Ｒは、所定の隙間をもってスリット２０Ｓｃｉ内に配され、図１２（Ｂ）に示される矢印の示す方向に弾性変位可能とされる。従って、接点部３８Ｃは、バネ部３８Ｒと共通の平面上を移動可能とされる。
【００５３】
固定部３８Ｆの大きさは、コンタクト端子３４Ａｉの固定部３４Ｆの大きさに比して大とされる。
【００５４】
固定端子部３８Ｓは、固定部３８Ｆの一端から連なり屈曲されて形成されている。
【００５５】
コンタクト端子４０Ａｉまたは４０Ｂｉは、互いに同一形状なのでコンタクト端子４０Ａｉについて説明しコンタクト端子４０Ｂｉについての説明を省略する。
【００５６】
コンタクト端子４０Ａｉは、図１２（Ａ）に拡大されて示されるように、薄板金属材料、例えば、りん青銅板により形成されており、雄型のコネクタ部２４に組み付けられるとき、上述のコンタクト端子３０Ａｉと接触し電気的に接続される接点部４０Ｃと、スリット２０Ｓｄｉ内の周縁に圧入される固定部４０Ｆと、固定部４０Ｆと接点部４０Ｃとの間に弾性変位可能に一体に形成され接点部４０Ｃを付勢するバネ部４０Ｒと、固定部４０Ｆに連結され第２のプリント配線基板２２における導電層としての電極部に半田付け固定される固定端子部４０Ｓと、含んで構成されている。
【００５７】
接点部４０Ｃは、コンタクト端子３０Ａｉと円滑に接触するように丸みを先端に有している。
【００５８】
複数の湾曲部からなるバネ部４０Ｒは、所定の隙間をもってスリット２０Ｓｄｉ内に配され、図１２（Ａ）に示される矢印の示す方向に弾性変位可能とされる。従って、接点部４０Ｃは、バネ部４０Ｒと共通の平面上を移動可能とされる。
【００５９】
固定端子部４０Ｓは、固定部４０Ｆの一端から連なり屈曲されて形成されている。
【００６０】
固定端子部４０Ｓの屈曲長さは、上述のコンタクト端子３８Ａｉの固定端子部３８Ｓの屈曲長さに比して小とされる。
【００６１】
このような雄型のコネクタ部２４が雌型のコネクタ部２０に組み付けられ、第１のプリント配線基板２６と第２のプリント配線基板２２とが基板接続用コネクタを通じて電気的に接続されるとき、雄型のコネクタ部２４の基台部２４Ｍおよび凸部２４Ｐが、コンタクト端子２８Ａｉ、２８Ｂｉ、３０Ａｉ、３０Ｂｉの接点部とコンタクト端子３４Ａｉ、３４Ｂｉ、３６Ａｉ、３６Ｂｉ、３８Ａｉ、３８Ｂｉ、４０Ａｉ、４０Ｂｉの接点部との間の相互の弾性力に抗して基台部２０Ｍの段部２０Ｓ１および２０Ｓ２にそれぞれ挿入される。これにより、雄型のコネクタ部２４が雌型のコネクタ部２０に対し保持されることとなる。
【００６２】
一方、雄型のコネクタ部２４が雌型のコネクタ部２０に対し分離される場合、雄型のコネクタ部２４と雌型のコネクタ部２０とが互いに強制的に引き離されることにより、雄型のコネクタ部２４が雌型のコネクタ部２０に対し分離されることとなる。
【図面の簡単な説明】
【００６３】
【図１】本発明に係る基板接続用コネクタの一例を分解して示す斜視図である。
【図２】図１に示される例における雄型のコネクタ部を示す平面図である。
【図３】図２に示される雄型のコネクタ部の正面図である。
【図４】図２におけるＩＶ−ＩＶ線に沿って示される部分断面図である。
【図５】（Ａ）および（Ｂ）は、それぞれ、図２に示される雄型のコネクタ部に用いられるコンタクト端子を示す斜視図である。
【図６】図１に示される雌型のコネクタ部を示す平面図である。
【図７】図６に示される雌型のコネクタ部の正面図である。
【図８】図６に示される雌型のコネクタ部の側面図である。
【図９】図６におけるＩＸ−ＩＸ線に沿って示される部分断面図である。
【図１０】図６におけるＸ−Ｘ線に沿って示される部分断面図である。
【図１１】（Ａ）および（Ｂ）は、それぞれ、図６に示される雌型のコネクタ部に用いられるコンタクト端子を示す斜視図である。
【図１２】（Ａ）および（Ｂ）は、それぞれ、図６に示される雌型のコネクタ部に用いられるコンタクト端子を示す斜視図である。
【符号の説明】
【００６４】
２０、２４    コネクタ部
２２    第２のプリント配線基板
２６    第１のプリント配線基板
２８Ａｉ，２８Ｂｉ，３０Ａｉ，３０Ｂｉ    コンタクト端子
３４Ａｉ，３４Ｂｉ，３６Ａｉ，３６Ｂｉ    コンタクト端子
３８Ａｉ，３８Ｂｉ，４０Ａｉ，４０Ｂｉ    コンタクト端子
【図１】
2006054128.tif 000003
【図２】
2006054128.tif 000004
【図３】
2006054128.tif 000005
【図４】
2006054128.tif 000006
【図５】
2006054128.tif 000007
【図６】
2006054128.tif 000008
【図７】
2006054128.tif 000009
【図８】
2006054128.tif 000010
【図９】
2006054128.tif 000011
【図１０】
2006054128.tif 000012
【図１１】
2006054128.tif 000013
【図１２】
2006054128.tif 000014